(57)【要約】【課題】操作しやすく、外来ノイズに影響されない洗濯機制御システムを提供すること。【解決手段】洗濯機２９と端末装置２８とで構成され、洗濯機２９は、制御部３９と、洗濯機送受信部３８と、電源入りスイッチ２６ｆなどの入力部２６と表示部２７を有する操作表示部３７とを備え、端末装置２８は、洗濯機２９の洗濯機送受信部３８と情報をやりとりできる端末送受信部３３と、端末入力部３５と端末表示部３４と転送開始ボタン３２を有する端末操作部３０とを備え、洗濯機２９は、端末送受信部３３から送信されたプログラム内容を洗濯機送受信部３８で受信して、制御部３９により工程制御するとともに、洗濯機送受信部３８近傍に端末装置２８を常時送受信可能とするために保持する保持部材６３を配置することにより、操作性に優れ、かつ、外来ノイズの影響も無くした洗濯機制御システムを実現できる。【選択図】図１
2014054279.tif 000002
【特許請求の範囲】
【請求項１】
洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各工程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各工程を制御するとともに、前記洗濯機送受信部近傍に前記端末装置を常時送受信可能とするために保持する保持部材を配置した洗濯機制御システム。
【請求項２】
前記洗濯機は、前記保持部材近傍に前記端末装置の電池に充電する充電装置を備えた請求項１記載の洗濯機制御システム。
【発明の詳細な説明】
【技術分野】
【０００１】
本発明は、洗濯兼脱水槽内に投入した衣類を洗濯する洗濯機を制御する制御システムに関するものである。
【背景技術】
【０００２】
従来、この種の洗濯機の制御は、制御部により、例えば、洗い、すすぎ、脱水などの一連の工程をプログラム制御する制御方式が提案されてきた（例えば、特許文献１参照）。
【０００３】
図８は、特許文献１に記載された従来の洗濯機の縦断面図、図９は、同洗濯機のブロック回路図、図１０は、同洗濯機の操作部を示すものである。図８において、洗濯機１は、略長方体に構成した筐体３を備えており、この筐体３の内部に、略円筒形に構成した水受け槽４を吊り棒５によって吊り下げ、この水受け槽４内に、略円筒形状に構成した洗濯兼脱水槽６を回転自在に内包している。洗濯兼脱水槽６の底部には、撹拌翼７を垂直方向に沿った軸の回りに回転自在に設けている。
【０００４】
水受け槽４外底部には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で洗濯兼脱水槽６へ伝達する。
【０００５】
水受け槽４の上には、散水用の吐出部を形成するカバー体１０を設けている。また、筐体３の上方には、洗濯兼脱水槽６内に給水する給水弁１１を設けている。また、水受け槽４の下方には、水受け槽４内の洗濯水を排水する排水弁１２を設けている。水受け槽４の外壁下部に接続部１３を設け、この接続部１３に水受け槽４の水位を検知する水位検知器１４を接続し、水位検知器１４は接続部１３における水圧を電気的な周波数に変換するよう構成している。
【０００６】
また、洗濯機１の上面前部には、操作部２を配設し、運転コース等のモードや各種機能の選択は、使用者が操作部２から入力部２６へ入力して行ない、洗濯機１の上面前部内方に設けられた制御部２２が、その入力情報を基に操作部２の表示部２７に表示して使用者に知らせる。
【０００７】
図９において、モータ８は、インバータ回路１５によって駆動され、インバータ回路１５は、６個のスイッチング素子１６Ａ〜１６Ｆを有し、各スイッチング素子１６Ａ〜１６Ｆは、パワートランジスタと逆導通ダイオードとによって構成される並列回路をそれぞれ有している。電源１７は、ダイオードブリッジ１８とチョークコイル１９と平滑用コンデンサ２０とによって構成される直流電源変換装置を介してインバータ回路１５へ電圧を供給する。電源１７はまた、ポンプ６０、給水弁１１、排水弁１２、動力切換機構９とに電圧を供給する。モータ８には、３個の位置検出器２１を設け、各位置検出器２１は、モータ８の回転位置を検出する。
【０００８】
制御部２２は、回転制御部２３を有し、この回転制御部２３は、各位置検出器２１によって検出されたモータ８の回転位置と、水位検知器１４によって検知された水受け槽４の水位とに基づいて、駆動回路２４を制御する。駆動回路２４は、回転制御部２３からの指示に基づいて、インバータ回路１５を駆動する。ポンプ６０と給水弁１１と排水弁１２と動力切換機構９とは、負荷駆動部２５に接続しており、負荷駆動部２５は、制御部２２からの指示に基づいて、ポンプ６０と給水弁１１と排水弁１２と動力切換機構９とをそれぞ
れ駆動する。
【０００９】
操作部２は、洗い時間、すすぎ回数、脱水時間などを入力する入力部２６と、入力部２６に入力された洗い時間、すすぎ回数、脱水時間などを表示する表示部２７とを有する。図１０において、入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。
【００１０】
また、入力部２６は、複数の基本運転コースと特別運転コースとのいずれかを選択する運転コース選択スイッチ２６ｈと、複数の基本運転コースと特別運転コースとのそれぞれに対応する複数の運転コース選択表示部２７ｅとを設けている。ここで、特別運転コースは、入力部２６に入力された洗い時間、すすぎ回数、脱水時間をそれぞれ変更することによって設定する。
【００１１】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。
【００１２】
「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００１３】
特別運転コースは、洗い時間、すすぎ回数、脱水時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００１４】
上記構成において動作を説明する。運転コース選択スイッチ２６ｈを押すことによって、特別運転コースが選択されると、最も標準的な運転コースである「おまかせコース」に予め規定された洗い時間、すすぎ回数、脱水時間が、洗い時間表示部２７ａ、すすぎ回数表示部２７ｂ、脱水時間表示部２７ｃに表示される。そして、使用者は、洗い時間表示部２７ａ、すすぎ回数表示部２７ｂ、脱水時間表示部２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２６ａ、すすぎ回数設定スイッチ２６ｂ、脱水時間設定スイッチ２６ｃをそれぞれ複数回押すことによって、特別運転コースを設定する。
【００１５】
その後、制御部２２は、入力部２６によって設定された特別運転コースに基づいて、洗い、すすぎ、脱水の一連の工程を実行するように、駆動回路２４と負荷駆動部２５とを制御する。
【先行技術文献】
【特許文献】
【００１６】
【特許文献１】特開２００２−１１９７８８号公報
【発明の概要】
【発明が解決しようとする課題】
【００１７】
しかしながら、前記従来の構成では、洗濯機が置かれている環境は照明が十分ではない場合が多く、その環境で、特別運転コースの、例えば「おまかせコース」の細かい設定を変更することは、決して楽な動作ではない。特に、眼が不自由になってくる高齢者にとっては、苦痛に感じられることもあるという課題があった。
【００１８】
本発明は、前記従来の課題を解決するもので、送受信の通信機能を持つことにより、洗濯機の前まで行って操作部のボタンを一々操作することなく、洗濯機から離れた環境の良い場所で設定できるという操作性に優れ、かつ、通信機能で問題となる外来ノイズの影響も無くした洗濯機制御システムを提供するとともに、通信時の操作性の向上を目的とする。
【課題を解決するための手段】
【００１９】
前記従来の課題を解決するために、本発明の洗濯機制御システムは、洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各工程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各工程を制御するとともに、前記洗濯機送受信部近傍に前記端末装置を常時送受信可能とするために保持する保持部材を配置する構成としたものである。
【００２０】
これにより、使用者の操作性を向上することができるとともに、外来ノイズの影響も無く送受信機能を確実に動作させて、誤動作を起こさないようにでき、使い勝手を向上することができる。
【発明の効果】
【００２１】
本発明の洗濯機制御システムは、使用者が操作し易く、かつ、外来ノイズにより誤動作を起こさないよう洗濯機の操作表示部の配置を行なうことにより、操作性と使い勝手を向上することができる。
【図面の簡単な説明】
【００２２】
【図１】本発明の実施の形態１における洗濯機制御システムの構成を示す斜視図
【図２】同洗濯機制御システムの洗濯機の縦断面図
【図３】同洗濯機制御システムのブロック回路図
【図４】同洗濯機制御システムの洗濯機の操作表示部の正面図
【図５】（ａ）同洗濯機制御システムの端末装置の端末操作部の正面図（ｂ）同端末装置のネットコース設定内容を変更し転送する際の端末操作部の正面図
【図６】同洗濯機制御システムの動作フローチャート
【図７】同洗濯機制御システムの洗濯機の電源ラインノイズ波形例を示す説明図
【図８】従来の洗濯機の縦断面図
【図９】同洗濯機のブロック回路図
【図１０】同洗濯機の操作部の正面図
【発明を実施するための形態】
【００２３】
第１の発明は、洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各工程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各工程を制御するとともに、前記洗濯機送受信部近傍に前記端末装置を常時送受信可能とするために保持する保持部材を配置することにより、使用者が操作し易く、かつ、洗濯機送受信部が、外来ノイズなどの影響を受けることなく確実に送信された信号を受信できるものである。
【００２４】
第２の発明は、特に、第１の発明の前記洗濯機は、前記保持部材近傍に前記端末装置の電池に充電する充電装置を備えたことにより、送受信中も前記端末装置に充電できるため、使用者の使い勝手の向上を図ることができる。
【００２５】
以下、本発明の実施の形態について、図面を参照しながら説明する。なお、従来例と同じ構成のものは同一符号を付して説明を省略する。また、この実施の形態によって本発明が限定されるものではない。
【００２６】
（実施の形態１）
図１は、本発明の実施の形態における洗濯機制御システムの構成を示す斜視図、図２は同洗濯機制御システムの洗濯機の縦断面図、図３は同洗濯機制御システムのブロック回路図を示すものである。
【００２７】
図１、図２において、洗濯機２９と端末装置２８とは、無線による通信にて接続されており、使用者は、洗濯機２９の操作表示部３７の入力部２６から操作して、表示部２７にて設定内容を確認して制御することができるとともに、端末装置２８を操作して、洗濯機２９を制御することもできる。そのため、端末装置２８には、洗濯機２９と情報をやり取りする端末送受信部３３を有し、洗濯機２９の操作表示部３７には、端末装置２８と情報をやり取りする洗濯機送受信部３８を有している。なお、この洗濯機２９の操作表示部３７は水平面ではなく、傾斜面に設けられている。また、洗濯機２９の上面前部内方には、洗濯機２９を制御する制御部３９が配設されている。
【００２８】
洗濯機送受信部３８の近傍には、前記端末装置２８を常時送受信可能とするために保持する保持部材６３を設けている。前記保持部材６３背面には端末装置２８の電池６４に充電するための充電装置６５を備えている。近年では端子接続ではなく、無線で充電できる電磁誘導式充電装置が普及し始めており、この技術を利用した充電装置６５を設けている。
【００２９】
図３において、端末装置２８は、端末操作部３０を備えており、この端末操作部３０には、ネットコース設定部（プログラム設定手段）３１と転送開始ボタン（送信開始指示手段）３２とを設けている。ネットコース設定部３１は、洗い、すすぎ、脱水及び乾燥の一連の工程の少なくとも１つの工程の内容を変更することによって、洗濯機２９によって実行されるネットコース（プログラム）の内容を設定する。
【００３０】
端末送受信部（端末側送受信手段）３３は、ネットコース設定部３１によって設定されたネットコースの内容を表す情報を、無線による通信にて、洗濯機２９に送信する。ここで、端末操作部３０と端末送受信部３３へ電圧を供給する電源を有し、送信する際のエネルギーを用いて電力供給を行う、近年使用されている携帯電話などに利用されているＮＦＣ等での動作や、別途電源を持って充電式電池によって構成している。
【００３１】
ネットコース設定部３１は、端末表示部３４と端末入力部３５を有し、端末表示部３４にはネットコースで設定されている洗い、すすぎ、脱水及び乾燥の工程の内容が表示される。端末入力部３５によって、設定内容を変更できるようにしている。運転状態判定手段３６は、端末送受信部３３によって受信したデータによって、洗濯機２９の運転状態を判定するものである。
【００３２】
ここで、端末操作部３０は、タッチパネルによって構成しており、ネットコース設定部３１と転送開始ボタン３２を覆うように形成している。これらの端末装置２８を構成する各部のすべてもしくは一部は携帯電話等の移動体通信端末で代用可能である。なお、端末操作部３０については、後述する図５において詳述する。
【００３３】
洗濯機２９には制御部（制御手段）３９を設け、この制御部３９は記憶部（不揮発性記憶手段）４０を有し、この記憶部４０は洗濯機送受信部３８によって受信されたネットコース（プログラム）の内容を表す情報を記憶している。また、制御部３９は、洗濯機送受信部３８によって受信され、記憶部４０に記憶されたネットコースの内容を表す情報に基づいて、洗い、すすぎ、脱水及び乾燥の一連の工程をプログラム制御する。
【００３４】
図４は、本発明の実施の形態１における洗濯機制御システムの洗濯機の操作表示部の正面図である。図４において、操作表示部３７の入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有するとともに、既存コース選択スイッチ２６ｉを有している。
【００３５】
既存コース選択スイッチ２６ｉで洗濯機２９があらかじめ持っているコースのうちの一つを選択し、スタート・一時停止スイッチ２６ｅで運転開始を指示し、電源入りスイッチ２６ｆ、電源切りスイッチ２６ｇで洗濯機２９の電源を入れたり切ったりすることができる。また、既存コース選択スイッチ２６ｉで選択したコースの洗い時間、すすぎ回数、脱水時間を、洗い時間設定スイッチ２６ａ、すすぎ回数設定スイッチ２６ｂ、脱水時間設定スイッチ２６ｃを押すことによって、変更設定して運転することもできる。
【００３６】
表示部２７は、洗い時間表示部２７ａ、すすぎ回数表示部２７ｂ、脱水時間表示部２７ｃ、乾燥時間表示部２７ｄ、運転コース選択表示部２７ｅなどを有するとともに、端末装置２８にてネットコースが選択された場合に点灯するネットコース表示部２７ｆを有している。
【００３７】
洗濯機２９は、さらに、入力部２６及び表示部２７の側方には洗濯機送受信部（機器側送受信手段）３８を有しており、ネットコースの内容を入力して設定した端末装置２８をこの洗濯機送受信部３８に近づけると、端末装置２８に設けた端末送受信部３３によって情報が送信され、洗濯機２９に入力される。
【００３８】
ここで、操作表示部３７における洗濯機送受信部３８の配置についてであるが、操作表示部３７の中で、電源入りスイッチ２６ｆには、電源電圧１００Ｖのラインが配線されて
いる構成となっている。この電源ラインには、他の機器と同じ系列のコンセントなどを使用した場合には、電源に、図７に示すようなノイズ成分が多く重畳されている状態になることもあり、通信を行う際には、そのノイズ成分の影響や、メイン電流が流れることによる磁界の影響などを受けることが想定される。
【００３９】
本実施の形態のように、電源入りスイッチ２６ｆ及びそれへの配線ラインの近傍に洗濯機送受信部３８を配置した場合、外来ノイズの通信への影響を無くする工夫が必要となる。そこで、本実施の形態の洗濯機制御システムでは、洗濯機送受信部３８の近傍に端末装置２８を常時送受信可能とするために保持する保持部材６３を設けて、端末装置２８の端末送受信部３３と洗濯機２９の洗濯機送受信部３８とを至近距離に確実に維持することによって、両者間の通信を外来ノイズの悪影響を受けることなく確実に行えるようにしている。なお、端末装置２８に設けた端末送受信部３３と洗濯機２９に設けた洗濯機送受信部３８とは、たとえば、ＮＦＣに基づいて情報を送受信する。
【００４０】
図５（ａ）は、本発明の実施の形態１における洗濯機制御システムの端末装置の端末操作部の正面図、（ｂ）同端末装置のネットコース設定内容を変更し転送する際の端末操作部の正面図である。
【００４１】
図５（ａ）、（ｂ）において、端末装置２８の端末操作部３０の電源ボタン６１を押した後、ネットコース設定部３１にて、端末入力部３５の切換ボタン３５ａ、３５ｂ、３５ｃを押すことにより、ネットコースの洗い時間、すすぎ回数、脱水時間を設定することができ、その設定内容を端末表示部３４で確認することができる。そして、転送開始ボタン３２を押すことにより、設定内容を洗濯機２９に送信することができる。転送開始ボタン３２については、図６の動作フローチャートにて後述する。なお、端末装置２８は、携帯電話の機能として、専用アプリを有して対応することで、その動作を行うこともできる。
【００４２】
以上のように構成された洗濯機制御システムについて、その動作、作用を説明する。図６は、本発明の実施の形態における洗濯機制御システムの動作フローチャートである。図６において、端末装置２８の端末操作部３０に設けた電源ボタン６１を押すと、ステップ４１にて、図５（ａ）に示すように、ネットコース設定内容がネットコース設定部３１に設けた端末表示部３４に表示される。
【００４３】
つぎに、ステップ４２にて、ネットコース設定内容の初期値から、洗い時間、すすぎ回数、脱水時間のいずれを変更するかを判断する。ステップ４３では、洗い時間が変更された場合を示している。図５（ｂ）に示す例では、端末入力部３５であるタッチパネルにユーザがタッチすることによって、図５（ａ）に示す初期値の洗い時間「６分」が洗い時間「９分」に変更された例を示している。
【００４４】
ステップ４４では、すすぎ回数が変更された場合を示している。図５（ｂ）に示す例では、端末入力部３５であるタッチパネルにユーザがタッチすることによって、図５（ａ）に示す初期値のすすぎ回数「ため１回」がすすぎ回数「ため２回」に変更された例を示している。ステップ４５では、脱水時間が変更された場合を示している。図５（ｂ）に示す例では、端末入力部３５であるタッチパネルにユーザがタッチすることによって、図５（ａ）に示す初期値の脱水時間「３分」が脱水時間「７分」に変更された例を示している。このとき、ステップ４６のように、洗濯機２９の電源は切状態である。電源が切れているので、洗濯機２９は受信できる状態（受信可能状態）になっていない。そのため、図５（ａ）に示すように、転送開始ボタン３２は表示されていない。
【００４５】
つぎに、ステップ４７にて、洗濯機２９の電源入りスイッチ２６ｆを押すことによって、洗濯機２９の電源を入れる。ステップ４８にて、洗濯機２９は洗濯機送受信部３８によ
り電源入データを端末装置２８に送信する。ステップ４９にて、端末装置２８は、運転状態判定手段３６により洗濯機２９の電源が入ったことを認知する。つまり、洗濯機２９は受信可能状態になったことを認知する。その結果、ステップ５０にて、図５（ｂ）に示すように、端末操作部３０に転送開始ボタン３２を表示する。
【００４６】
つぎに、ステップ５１にて、使用者が転送開始ボタン３２を押すと、ＮＦＣの場合には、端末装置２８を洗濯機送受信部３８に近づける（ステップ５２）ことで、ステップ５３にて、端末送受信部３３からネットコース設定の全データを洗濯機２９に送信する。ステップ５４にて、洗濯機２９は洗濯機送受信部３８によってネットコース設定の全データを受信する。つぎに、ステップ５５にて、記憶部４０に受信したネットコース設定の全データを記憶するとともに、ステップ５６にて、操作表示部３７のネットコース表示部２７ｆを点灯させる。記憶部４０は不揮発性であるため、洗濯機２９の電源が遮断されても、全データを保存することができる。
【００４７】
つぎに、ステップ５７にて、スタート・一時停止スイッチ２６ｅを押すことで、洗濯機２９は、受信したネットコース設定内容に基づいたシーケンスを運転する。なお、端末装置２８の端末操作部３０に設けたスタートボタン６２を押すことでも、洗濯機２９はシーケンスを運転することができる。
【００４８】
以上のように本発明の洗濯機制御システムは、洗濯機と端末装置で情報の通信を行なって運転コースの各工程を制御するとともに、洗濯機の洗濯機送受信部の近傍に前記端末装置を常時送受信可能とするための保持部材を設けている。これにより洗濯機送受信部と端末装置間の通信の電波が微弱な場合でも、端末装置と洗濯機送受信部を最短距離で保持することができるため、外来ノイズなどの影響を受けることなく確実に送信された信号を受信できる。また、保持部材により安定的に常時通信が可能となるため、他の携帯電話等の端末装置からの指示により、洗濯の予約をしたり、端末装置内の時計機能により、洗濯開始時間を設定したりでき、使用者の利便性を向上させることができる。
【００４９】
また、洗濯機の端末装置を保持する保持部材近傍に、端末装置に内装した充電式電池に充電する充電装置を設けることにより、洗濯機と通信をしながら端末装置の充電ができるため、使用者の利便性を向上させることができる。
【００５０】
なお、上記の実施の形態１では、端末装置を洗濯機の洗濯機送受信部に近づけて通信する制御システムを述べたが、赤外線または電波を利用した短距離無線通信技術によって接続されていてもよい。
【００５１】
また、上記の実施の形態１においては、洗濯機の場合の制御システムについて説明したが、プログラム制御される機器は洗濯機に限定するものでなく、マイクロコンピュータを用いてプログラム制御するものであればよく、同様の作用、効果を得ることができる。
【産業上の利用可能性】
【００５２】
以上のように、本発明にかかる洗濯機制御システムは、端末装置との情報を送受信する洗濯機送受信部を、適切に配置することにより、操作しやすく、外来ノイズなどの影響を受けないことが可能となるので、使用者が運転コースや詳細設定を選択、変更でき、その運転コースや詳細設定に基づいて運転の電子制御を行なう他の電気機器、例えば食器洗い機等の用途にも適用できる。
【符号の説明】
【００５３】
２６  入力部
２６ｆ  電源入りスイッチ
２７  表示部
２８  端末装置
２９  洗濯機
３０  端末操作部
３２  転送開始ボタン
３３  端末送受信部
３４  端末表示部
３５  端末入力部
３７  操作表示部
３８  洗濯機送受信部
３９  制御部
４０  記憶部
６３  保持部材
６４  電池
６５  充電装置
【図１】
2014054279.tif 000003
【図２】
2014054279.tif 000004
【図３】
2014054279.tif 000005
【図４】
2014054279.tif 000006
【図５】
2014054279.tif 000007
【図６】
2014054279.tif 000008
【図７】
2014054279.tif 000009
【図８】
2014054279.tif 000010
【図９】
2014054279.tif 000011
【図１０】
2014054279.tif 000012